(57)【要約】【課題】ＣＰＵを搭載していないアナログ製品においても低コストでＥｒＰ指令に対応することができる電子回路を提供する。【解決手段】電源と接続され、抵抗とコンデンサを含むＲＣ回路と、ユーザによる電源ＯＦＦ操作時に、ＲＣ回路の電源側の接続先をグラウンドに切り替える第１のスイッチ回路と、ＲＣ回路の電源側とコンデンサの正極とを接続し、抵抗を含むパスと並列な回路であって、コンデンサの正極から電源側に電流を流す整流作用を有するダイオードを含む第１のリセット回路と、楽音信号の交流成分を増幅する増幅回路と、増幅された交流成分の振幅が所定の閾値以上となる場合にコンデンサの正極をグラウンドに接続する第１のパスを導通し、それ以外の場合に第１のパスを遮断する第２のリセット回路と、ＦＥＴスイッチＩＣを含み、コンデンサの正極の電位が所定の閾値以上となる場合に所定の省電力制御を実行する省電力制御回路を含む。【選択図】図１
2018112574.tif 000002
【特許請求の範囲】
【請求項１】
電源と接続され、抵抗とコンデンサを含むＲＣ回路と、
ユーザによる電源ＯＦＦ操作時に、前記ＲＣ回路の電源側の接続先をグラウンドに切り替える第１のスイッチ回路と、
前記ＲＣ回路の電源側と前記コンデンサの正極とを接続し、前記抵抗を含むパスと並列な回路であって、前記コンデンサの正極から電源側に電流を流す整流作用を有するダイオードを含む第１のリセット回路と、
楽音信号の交流成分を増幅する増幅回路と、
増幅された前記交流成分の振幅が所定の閾値以上となる場合に前記コンデンサの正極をグラウンドに接続する第１のパスを導通し、それ以外の場合に前記第１のパスを遮断する第２のリセット回路と、
ＦＥＴスイッチＩＣを含み、前記コンデンサの正極の電位が所定の閾値以上となる場合に所定の省電力制御を実行する省電力制御回路
を含む電子回路。
【請求項２】
請求項１に記載の電子回路であって、
ユーザによるエコモードＯＦＦ操作時に、前記コンデンサの正極をグラウンドに接続する第２のパスを導通し、ユーザによるエコモードＯＮ操作時に、前記第２のパスを遮断する第２のスイッチ回路
を含む電子回路。
【請求項３】
請求項１または２に記載の電子回路であって、
前記省電力制御には少なくともスピーカアンプをミュートする制御と、本電子回路への電力供給を遮断する制御の何れか一つ以上が含まれる
電子回路。
【発明の詳細な説明】
【技術分野】
【０００１】
本発明は、電子回路に関する。
【背景技術】
【０００２】
欧州では、エネルギー関連製品を環境に配慮して設計することを義務付けるＥｒＰ（Energy related Products）指令が発効された（非特許文献１）。例えば電子楽器の分野では、ＣＰＵを搭載した製品については、ＣＰＵにより高度な判断を行うことができるため、比較的容易にＥｒＰ指令に対応できる。
【先行技術文献】
【非特許文献】
【０００３】
【非特許文献１】WIKIPEDIA、"Energy-related products"、[online]、平成28年11月29日、［平成28年12月26日］、インターネット<URL:https://en.wikipedia.org/wiki/Energy-related_products>
【発明の概要】
【発明が解決しようとする課題】
【０００４】
しかしながら、ＣＰＵを搭載していないアナログ製品においては、上記のＥｒＰ指令に対応することは容易ではなかった。そこで本発明では、ＣＰＵを搭載していないアナログ製品においても低コストでＥｒＰ指令に対応することができる電子回路を提供することを目的とする。
【課題を解決するための手段】
【０００５】
本発明の電子回路は、ＲＣ回路と、第１のスイッチ回路と、第１のリセット回路と、増幅回路と、第２のリセット回路と、省電力制御回路を含む。
【０００６】
ＲＣ回路は、電源と接続され、抵抗とコンデンサを含む。第１のスイッチ回路は、ユーザによる電源ＯＦＦ操作時に、ＲＣ回路の電源側の接続先をグラウンドに切り替える。第１のリセット回路は、ＲＣ回路の電源側とコンデンサの正極とを接続し、抵抗を含むパスと並列な回路であって、コンデンサの正極から電源側に電流を流す整流作用を有するダイオードを含む。増幅回路は、楽音信号の交流成分を増幅する。第２のリセット回路は、増幅された交流成分の振幅が所定の閾値以上となる場合にコンデンサの正極をグラウンドに接続する第１のパスを導通し、それ以外の場合に第１のパスを遮断する。省電力制御回路は、ＦＥＴスイッチＩＣを含み、コンデンサの正極の電位が所定の閾値以上となる場合に所定の省電力制御を実行する。
【発明の効果】
【０００７】
本発明の電子回路によれば、ＣＰＵを搭載していないアナログ製品においても低コストでＥｒＰ指令に対応することができる。
【図面の簡単な説明】
【０００８】
【図１】実施例１の電子回路の構成を示す図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
以下、図１を参照して実施例１の電子回路１について説明する。図１に示すように本実施例の電子回路１は、ＲＣ回路１１と、第１のスイッチ回路１２と、第１のリセット回路１３と、増幅回路１４と、第２のリセット回路１５と、省電力制御回路１６と、第２のスイッチ回路１７を含む。
【００１１】
＜ＲＣ回路１１＞
ＲＣ回路１１は、図示しない電源と接続され、抵抗１１ａとコンデンサ１１ｂを含む。なお、電源からは電源電圧ＶＤＤが供給される（ＲＣ回路１１内の表記「ＶＤＤ」参照）。電源電圧ＶＤＤが供給されている際には、コンデンサ１１ｂは充電される。本実施例では、ＲＣ回路１１はタイマとして機能する。抵抗１１ａの抵抗値、コンデンサ１１ｂのコンデンサ容量を調整することにより、タイマ満了までの時刻を設定することができる。
【００１２】
＜第１のスイッチ回路１２＞
第１のスイッチ回路１２は、ユーザによる電源ＯＦＦ操作時に、ＲＣ回路１１の電源側の接続先をグラウンドに切り替える。具体的には、第１のスイッチ回路１２内のＰＯＷＥＲ  ＯＦＦ時の接点が、電源電圧ＶＤＤをＡＧＮＤに接続している。なお、第１のスイッチ回路１２内の短冊状の記号は、アンプミュート回路への接続を意味する回路省略記号であって、同図に示すように、ＰＯＷＥＲ  ＯＦＦ時の接点により、アンプミュート回路もＡＧＮＤに落とされる。図中の二重波線はその先の図示を省略したことを示す。二重波線の先は電源に接続されているものとする。
【００１３】
＜第１のリセット回路１３＞
第１のリセット回路１３は、ＲＣ回路１１の電源側とコンデンサ１１ｂの正極とを接続する回路であって、抵抗１１ａを含むパスと並列な回路である。第１のリセット回路１３は、コンデンサ１１ｂの正極から電源側に電流を流す整流作用を有するダイオード１３ａと、抵抗１３ｂを含む。第１のリセット回路１３は、ＰＯＷＥＲ  ＯＦＦ時にコンデンサ１１ｂに蓄積された電荷を急速に放電するための回路である。コンデンサ１１ｂが充電された後、電源電圧ＶＤＤがＡＧＮＤに落ちた場合、コンデンサ１１ｂ側が高電位となるため、コンデンサ１１ｂからダイオード１３ａ、抵抗１３ｂを通って、電荷が放電される。抵抗１３ｂの抵抗値を抵抗１１ａの抵抗値よりも小さな値としておくことで、本回路を設けなかった場合と比較して、電荷を急速に放電できるため、好適である。なお、ダイオード１３ａはＰＯＷＥＲ  ＯＮ時に第１のリセット回路１３経由でコンデンサ１１ｂが充電されないようにするために設けてある。
【００１４】
上述のＲＣ回路１１、第１のスイッチ回路１２、第１のリセット回路１３により、ＰＯＷＥＲ  ＯＮ時にはコンデンサ１１ｂが充電され、ＰＯＷＥＲ  ＯＦＦ時にはコンデンサ１１ｂが放電されることを確認した。以下では、ＰＯＷＥＲ  ＯＮ時に楽音信号が入力された場合の電子回路１の挙動を説明する。
【００１５】
＜増幅回路１４＞
増幅回路１４には、楽音信号（アナログ信号）が入力されるものとする。楽音信号（アナログ信号）は、回路省略記号１８側から入力される。増幅回路１４は、楽音信号（アナログ信号）の交流成分を増幅する。増幅回路１４は、抵抗１４ａ、コンデンサ１４ｂ、抵抗１４ｃ、抵抗１４ｄ、抵抗１４ｅ、トランジスタ１４ｆ、抵抗１４ｇ、コンデンサ１４ｈ、トランジスタ１４ｉ、抵抗１４ｊ、コンデンサ１４ｋを同図に示すように接続してなる。なお増幅回路１４の回路構成としては、同図に示す構成に限らず、他の構成としてもよい。コンデンサ１４ｂ、コンデンサ１４ｋは楽音信号（アナログ信号）の交流成分のみを抽出するために設けてある。
【００１６】
＜第２のリセット回路１５＞
第２のリセット回路１５は、抵抗１５ａ、ダイオード１５ｂ、抵抗１５ｃ、トランジスタ１５ｄ、抵抗１５ｅを含む構成である。第２のリセット回路１５は、増幅回路１４により増幅された交流成分の振幅が所定の閾値以上となる場合にコンデンサ１１ｂの正極をグラウンド（ＡＧＮＤ）に接続する第１のパス（コンデンサ１１ｂ−抵抗１５ｅ−トランジスタ１５ｄのコレクタエミッタ−ＡＧＮＤ）を導通し、それ以外の場合に第１のパスを遮断する。具体的には、ダイオード１５ｂは、増幅された交流成分のうち正方向の電流のみを通過させ、この正方向の電流がトランジスタ１５ｄにベース電流として入力され、当該ベース電流が所定の閾値以上となる場合にトランジスタ１５ｄのコレクタ−エミッタ間に電流が流れる。コレクタ側はコンデンサ１１ｂに繋がり、エミッタ側はＡＧＮＤに落ちているため、コンデンサ１１ｂの充電電荷は、楽音信号（アナログ信号）の振幅が所定値以上となるたびに放電され、リセットされる。一方、所定音量の楽音信号の入力がない場合（例えばホワイトノイズのみが入力されている場合）、第１のパスは遮断されているため、コンデンサ１１ｂへの充電は継続される。
【００１７】
＜省電力制御回路１６＞
省電力制御回路１６は、抵抗１６ａ、ＦＥＴスイッチＩＣ１６ｂ、抵抗１６ｄ、ＦＥＴスイッチ１６ｅ、抵抗１６ｆ、コンデンサ１６ｇ、抵抗１６ｈを含む。また回路省略記号１６ｃは、アンプミュート回路への接続を意味する。回路省略記号１６ｉは、パワーコントロール回路への接続を意味する。省電力制御回路１６は、コンデンサ１１ｂの正極の電位が所定の閾値以上となる場合に所定の省電力制御を実行する。省電力制御には少なくともスピーカアンプをミュートする制御と、本電子回路への電力供給を遮断する制御の何れか一つ以上が含まれるものとする。具体的には、コンデンサ１１ｂの正極の電位が所定の閾値以上となる場合、ＦＥＴスイッチＩＣ１６ｂの端子Ｂおよび端子Ｃにおいて所定の電位が検出される。端子Ｂおよび端子Ｃにおいて所定の電位が検出された場合、Ｙ端子の接続先がＹ０端子からＹ１端子に切り替わり、Ｚ端子の接続先がＺ０端子からＺ１端子に切り替わる（詳細略。切替制御の概要を同図に一点鎖線で示す）。Ｙ端子がＹ１端子と接続された場合、回路省略記号１６ｃで示されるアンプミュート回路がＡＧＮＤに落ちる。これにより、図示しないアンプのミュート（無音）処理が実行される。また、Ｚ端子がＺ１端子と接続された場合、回路省略記号１６ｉで示される図示しないパワーコントロール回路の処理（本電子回路への電力供給を遮断する制御）が実行される。
【００１８】
＜第２のスイッチ回路１７＞
第２のスイッチ回路１７は、ユーザによるエコモードＯＦＦ操作時に、コンデンサ１１ｂの正極をグラウンド（ＡＧＮＤ）に接続する第２のパス（コンデンサ１１ｂ−抵抗１５ｅ−第２のスイッチ回路１７−ＡＧＮＤ）を導通し、ユーザによるエコモードＯＮ操作時に、第２のパスを遮断する。具体的には、第２のスイッチ回路１７内のＥＣＯ  ＯＦＦ時の接点が、トランジスタ１５ｄのコレクタ側をＡＧＮＤに接続している。従ってコンデンサ１１ｂの充電電荷は、エコモードＯＦＦ操作時に放電され、リセットされる。一方、エコモードがＯＮに操作されている間は、第２のパスは遮断されているため、コンデンサ１１ｂへの充電は継続される。
【００１９】
従って、本実施例の電子回路１を搭載した電子楽器などにおいては、電源とエコモードがともにＯＮである場合に、ＲＣ回路１１によるタイマが発動し、楽音信号の入力があるたびに当該タイマがリセットされ、タイマがリセットされずに満了した場合には、省電力制御回路１６により省電力制御が実行されることになる。一方、電源がＯＮであってもエコモードがＯＦＦに操作されている場合にはタイマが発動せず、楽音信号の入力が無い状態であっても、省電力制御が実行されない。
【００２０】
本実施例の電子回路１では、ＣＰＵによる制御以外の方法で省電力制御を実行可能に構成したため、ＣＰＵを搭載していないアナログ製品においても低コストでＥｒＰ指令に対応することができる。
【符号の説明】
【００２１】
１    電子回路
１１    ＲＣ回路
１１ａ    抵抗
１１ｂ    コンデンサ
１２    第１のスイッチ回路
１３    第１のリセット回路
１３ａ    ダイオード
１３ｂ    抵抗
１４    増幅回路
１４ａ    抵抗
１４ｂ    コンデンサ
１４ｃ    抵抗
１４ｄ    抵抗
１４ｅ    抵抗
１４ｆ    トランジスタ
１４ｇ    抵抗
１４ｈ    コンデンサ
１４ｉ    トランジスタ
１４ｊ    抵抗
１４ｋ    コンデンサ
１５    第２のリセット回路
１５ａ    抵抗
１５ｂ    ダイオード
１５ｃ    抵抗
１５ｄ    トランジスタ
１５ｅ    抵抗
１６    省電力制御回路
１６ａ    抵抗
１６ｂ    ＦＥＴスイッチＩＣ
１６ｃ    回路省略記号
１６ｄ    抵抗
１６ｅ    ＦＥＴスイッチ
１６ｆ    抵抗
１６ｇ    コンデンサ
１６ｈ    抵抗
１６ｉ    回路省略記号
１７    第２のスイッチ回路
１８    回路省略記号
【図１】
2018112574.tif 000003